(57)【要約】【課題】各種のばらつきが反映された媒体に関するデータを蓄積することが可能な技術が望まれる。【解決手段】紙幣に関するデータを得る紙幣鑑別部１４０と、あらかじめ設定された条件に応じた前記紙幣に関するデータを記憶部１５５に記憶させる主制御部１１０と、を備え、主制御部１１０は、条件を設定可能な条件設定手段を有する、自動取引装置１０が提供される。【選択図】図１
2017045310.tif 000002
【特許請求の範囲】
【請求項１】
媒体に関するデータを得る媒体鑑別部と、
あらかじめ設定された条件に応じた前記媒体に関するデータを記憶部に記憶させる制御部と、を備え、
前記制御部は、前記条件を設定可能な条件設定手段を有する、
自動取引装置。
【請求項２】
前記自動取引装置は、表示部を有し、
前記制御部は、前記条件設定手段として前記条件を設定するための設定画面を前記表示部に表示させ、該設定画面から前記条件を設定可能とした、
請求項１に記載の自動取引装置。
【請求項３】
前記媒体に関するデータは、前記媒体鑑別部によって前記媒体から検出されたセンサデータを含む、
請求項１に記載の自動取引装置。
【請求項４】
前記媒体に関するデータは、前記媒体鑑別部によって前記媒体から検出されたセンサデータから前記媒体鑑別部によって認識された認識結果を含む、
請求項１に記載の自動取引装置。
【請求項５】
前記条件は、真偽に関し、
前記制御部は、前記媒体から検出されたセンサデータから認識された真偽が前記条件を満たす場合に、前記センサデータおよびセンサデータから認識された認識結果のうち、少なくともいずれか一方を前記記憶部に記憶させる、
請求項１に記載の自動取引装置。
【請求項６】
前記条件は、正損に関し、
前記制御部は、前記媒体から検出されたセンサデータから認識された正損が前記条件を満たす場合に、前記センサデータおよび前記センサデータから認識された認識結果のうち、少なくともいずれか一方を前記記憶部に記憶させる、
請求項１に記載の自動取引装置。
【請求項７】
前記条件は、金種に関し、
前記制御部は、前記媒体から検出されたセンサデータから認識された金種が前記条件を満たす場合に、センサデータおよびセンサデータから認識された認識結果のうち、少なくともいずれか一方を前記記憶部に記憶させる、
請求項１に記載の自動取引装置。
【請求項８】
前記条件は、センサの種類に関し、
前記制御部は、前記条件を満たす種類のセンサによって検出されたセンサデータおよび前記センサデータから認識された認識結果のうち、少なくともいずれか一方を前記記憶部に記憶させる、
請求項１に記載の自動取引装置。
【請求項９】
前記条件は、媒体の特徴点に関し、
前記制御部は、前記媒体から検出されたセンサデータのうち、前記条件に応じた特徴点を前記記憶部に記憶させる、
請求項１に記載の自動取引装置。
【請求項１０】
前記制御部は、前記記憶部によって記憶されている前記媒体に関するデータが前記媒体の記番号を含む場合、排除対象または受入対象の媒体を前記記番号により選択能とし、選択された記番号によって前記排除対象または前記受入対象の媒体の判定条件を変更する、
請求項１に記載の自動取引装置。
【請求項１１】
前記制御部は、前記媒体鑑別部によって判別される媒体の正損または真偽によって排除対象または受入対象の媒体を選択可能とし、選択された正損または真偽によって前記排除対象または前記受入対象の媒体の判定条件を変更する、
請求項１に記載の自動取引装置。
【請求項１２】
前記自動取引装置は、前記媒体に関する情報を外部のサーバに送信する通信部を備える、
請求項１に記載の自動取引装置。
【請求項１３】
前記媒体鑑別部は、前記条件に応じた前記媒体に関するデータを前記制御部に送信し、
前記制御部は、前記媒体に関するデータを受信して前記媒体に関するデータを前記記憶部に記憶させる、
請求項１に記載の自動取引装置。
【請求項１４】
前記媒体鑑別部は、前記媒体に関するデータを前記制御部に送信し、
前記制御部は、前記媒体に関するデータを受信し、前記条件に応じた前記媒体に関するデータを前記記憶部に記憶させる、
請求項１に記載の自動取引装置。
【発明の詳細な説明】
【技術分野】
【０００１】
本発明は、自動取引装置に関する。
【背景技術】
【０００２】
自動取引装置において取り扱われる媒体（例えば、紙幣など）は、すべてが均一ではなく、汚損度などが異なっているのが通例である。そこで、真券と汚損券との境界を示す閾値を自動的に調整する技術が開示されている。また、複数の装置間において、この閾値を自動調整する技術が開示されている（例えば、特許文献１参照。）。かかる技術によれば、複数の装置間において自動的に排除される媒体の汚損度を一定とすることが可能となる。
【０００３】
また、自動取引装置には、媒体を鑑別する鑑別部が存在する。鑑別部は、媒体の真偽、正損などを判別し、この判別結果に基づいて媒体の鑑別を行う。しかし、媒体の特徴点のばらつき、媒体の汚損のばらつき、センサ特性のばらつき、動作環境のばらつきなどといった各種のばらつきが存在するため、これらのばらつきに対応可能な鑑別アルゴリズムが設計されるのがよい。そのようにして設計された鑑別アルゴリズムが利用されれば、ばらつきの異なる国や地域において媒体の鑑別を行うことが可能となる。
【先行技術文献】
【特許文献】
【０００４】
【特許文献１】特開２０１２−１２３６９６号公報
【発明の概要】
【発明が解決しようとする課題】
【０００５】
しかし、これらのばらつき全てに対応可能な鑑別アルゴリズムを設計するのは困難である。そのため、鑑別アルゴリズムは、対応可能なばらつきを超えるばらつきに対応する必要が生じると、真券の認識率の低下や、偽券の排除率の低下などを招き、所望の鑑別性能が得られなくなる可能性がある。
【０００６】
そこで、鑑別部に所望の鑑別性能を発揮させるため、このような各種のばらつきが反映された媒体に関するデータを蓄積することが可能な技術が望まれる。かかる技術により、例えば、媒体に関するデータに基づいて鑑別部の鑑別アルゴリズムがバージョンアップされれば、鑑別部によって所望の鑑別性能が発揮されるようになる。
【課題を解決するための手段】
【０００７】
上記問題を解決するために、本発明のある観点によれば、媒体に関するデータを得る媒体鑑別部と、あらかじめ設定された条件に応じた前記媒体に関するデータを記憶部に記憶させる制御部と、を備え、前記制御部は、前記条件を設定可能な条件設定手段を有する、自動取引装置が提供される。
【０００８】
前記自動取引装置は、表示部を有し、前記制御部は、前記条件設定手段として前記条件を設定するための設定画面を前記表示部に表示させ、該設定画面から前記条件を設定可能としてもよい。
【０００９】
前記媒体に関するデータは、前記媒体鑑別部によって前記媒体から検出されたセンサデータを含んでもよい。
【００１０】
前記媒体に関するデータは、前記媒体鑑別部によって前記媒体から検出されたセンサデータから前記媒体鑑別部によって認識された認識結果を含んでもよい。
【００１１】
前記条件は、真偽に関し、前記制御部は、前記媒体から検出されたセンサデータから認識された真偽が前記条件を満たす場合に、前記センサデータおよびセンサデータから認識された認識結果のうち、少なくともいずれか一方を前記記憶部に記憶させてもよい。
【００１２】
前記条件は、正損に関し、前記制御部は、前記媒体から検出されたセンサデータから認識された正損が前記条件を満たす場合に、前記センサデータおよび前記センサデータから認識された認識結果のうち、少なくともいずれか一方を前記記憶部に記憶させてもよい。
【００１３】
前記条件は、金種に関し、前記制御部は、前記媒体から検出されたセンサデータから認識された金種が前記条件を満たす場合に、センサデータおよびセンサデータから認識された認識結果のうち、少なくともいずれか一方を前記記憶部に記憶させてもよい。
【００１４】
前記条件は、センサの種類に関し、前記制御部は、前記条件を満たす種類のセンサによって検出されたセンサデータおよび前記センサデータから認識された認識結果のうち、少なくともいずれか一方を前記記憶部に記憶させてもよい。
【００１５】
前記条件は、媒体の特徴点に関し、前記制御部は、前記媒体から検出されたセンサデータのうち、前記条件に応じた特徴点を前記記憶部に記憶させてもよい。
【００１６】
前記制御部は、前記記憶部によって記憶されている前記媒体に関するデータが前記媒体の記番号を含む場合、排除対象または受入対象の媒体を前記記番号により選択可能とし、選択された記番号によって前記排除対象または前記受入対象の媒体の判定条件を変更してもよい。
【００１７】
前記制御部は、前記媒体鑑別部によって判別される媒体の正損または真偽によって排除対象または受入対象の媒体を選択可能とし、選択された正損または真偽によって前記排除対象または前記受入対象の媒体の判定条件を変更してもよい。
【００１８】
前記自動取引装置は、前記媒体に関する情報を外部のサーバに送信する通信部を備えてもよい。
【００１９】
前記媒体鑑別部は、前記条件に応じた前記媒体に関するデータを前記制御部に送信し、前記制御部は、前記媒体に関するデータを受信して前記媒体に関するデータを前記記憶部に記憶させてもよい。
【００２０】
前記媒体鑑別部は、前記媒体に関するデータを前記制御部に送信し、前記制御部は、前記媒体に関するデータを受信し、前記条件に応じた前記媒体に関するデータを前記記憶部に記憶させてもよい。
【発明の効果】
【００２１】
以上説明したように本発明によれば、各種のばらつきが反映された媒体に関するデータを蓄積することが可能となる。
【図面の簡単な説明】
【００２２】
【図１】第１の実施形態に係る自動取引装置の内部構成例を示す図である。
【図２】保守メニュー画面の例を示す図である。
【図３】データ収集設定画面の例を示す図である。
【図４】金種設定画面の例を示す図である。
【図５】センサ種類設定画面の例を示す図である。
【図６】画像領域設定画面の例を示す図である。
【図７】紙幣の特徴点設定画面の例を示す図である。
【図８】第１の実施形態に係る自動取引装置の全体的な動作の流れ（前半）を示すフローチャートである。
【図９】データ収集設定の動作の流れ（前半）を示すフローチャートである。
【図１０】データ収集設定の動作の流れ（後半）を示すフローチャートである。
【図１１】第１の実施形態に係る自動取引装置の全体的な動作の流れ（後半）を示すフローチャートである。
【図１２】鑑別設定画面の例を示す図である。
【図１３】取得データから設定画面の例を示す図である。
【図１４】データ一覧画面の例を示す図である。
【図１５】レベル設定画面の例を示す図である。
【図１６】鑑別設定の動作の流れ（前半）を示すフローチャートである。
【図１７】レベル設定の詳細フローを示す図である。
【図１８】鑑別設定の動作の流れ（後半）を示すフローチャートである。
【図１９】第２の実施形態に係るシステムの構成例を示す図である。
【図２０】第２の実施形態に係る自動取引装置の内部構成例を示す図である。
【図２１】第２の実施形態に係る自動取引装置の動作の流れを示す図である。
【図２２】サーバ装置の内部構成例を示す図である。
【図２３】第２の実施形態に係るサーバ装置の動作の流れを示す図である。
【発明を実施するための形態】
【００２３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２４】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２５】
［１．第１の実施形態］
［１−１．自動取引装置の内部構成］
まず、本発明の第１の実施形態について説明する。図１は、第１の実施形態に係る自動取引装置の内部構成例を示す図である。例えば、自動取引装置１０Ａは、金融機関の営業店等に設置され、顧客との間で入金処理や出金処理等の現金に関する取引を行う。自動取引装置１０Ａの種類は特に限定されないが、典型的には、自動取引装置１０Ａは、現金自動預け払い機（ＡＴＭ：Ａｕｔｏｍａｔｅｄ  Ｔｅｌｌｅｒ  Ｍａｃｈｉｎｅ）であってよい。
【００２６】
図１に示すように、自動取引装置１０Ａは、主制御部（制御部）１１０、紙幣投入部１２０、紙幣受取部１２５、一時保留部１３０、紙幣鑑別部１４０、光学センサ１４２−１、磁気センサ１４２−２および厚みセンサ１４２−３を備える。また、自動取引装置１０Ａは、搬送制御部１５１、表示部１５２、カードリーダ１５３、伝票印刷部１５４、記憶部１５５、紙幣搬送部１５６、カセット１６１およびリジェクト庫１６２を備える。
【００２７】
また、主制御部１１０と紙幣鑑別部１４０とは、高速伝送路１３５によって接続されている。例えば、高速伝送路１３５は、ＬＡＮ（Ｌｏｃａｌ  Ａｒｅａ  Ｎｅｔｗｏｒｋ）による伝送路であってもよいし、ＵＳＢ（Ｕｎｉｖｅｒｓａｌ  Ｓｅｒｉａｌ  Ｂｕｓ）による伝送路であってもよい。以下では、光学センサ１４２−１、磁気センサ１４２−２および厚みセンサ１４２−３をまとめて、センサ１４２と言う場合がある。
【００２８】
主制御部１１０は、自動取引装置１０の全体を統括制御する。主制御部１１０は、ＣＰＵ（Ｃｅｎｔｒａｌ  Ｐｒｏｃｅｓｓｉｎｇ  Ｕｎｉｔ）１１１を中心に構成されており、図示しないＲＯＭ（Ｒｅａｄ  Ｏｎｌｙ  Ｍｅｍｏｒｙ）やフラッシュメモリ等から所定のプログラムを読み出して実行することにより、入金処理や出金処理等の種々の処理を行う。
【００２９】
紙幣投入部１２０は、顧客等が紙幣を投入する投入口である。紙幣投入部１２０には、開口部を開閉するシャッタ（不図示）を設けるようにしてもよい。また、紙幣投入部１２０は、束で投入された紙幣を一枚ずつ分離して繰り出す分離機能を有する。一方、紙幣受取部１２５は、顧客等が受け取る紙幣が排出（出金）される排出口である。紙幣受取部１２５は、排出する紙幣を集積する集積機能を有する。なお、紙幣受取部１２５には、開口部を開閉するシャッタ（不図示）が設けられてもよい。
【００３０】
一時保留部１３０は、紙幣の分離と集積の両方の機能を有する。例えば、一時保留部１３０は、入金取引時に紙幣投入部１２０から分離されて紙幣鑑別部１４０により正常と鑑別された紙幣を一時的に集積する。一時保留部１３０に集積された紙幣は、入金した紙幣の口座計上などが確定したなど、取引が成立した場合に繰り出され、紙幣鑑別部１４０を経てカセット１６１に搬送される。なお、一時保留部１３０は、紙幣を順次重ねて集積する集積式であってもよいし、紙幣を順次巻いて収納するドラム式であってもよい。
【００３１】
紙幣鑑別部１４０は、１枚ずつ通過していく紙幣の鑑別を行う。紙幣の進行方向は双方向に対応しており、紙幣鑑別部１４０は、紙幣投入部１２０側の方向から搬送される紙幣、およびその逆方向から搬送される紙幣の鑑別を行うことができる。具体的には、紙幣鑑別部１４０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００３２】
紙幣鑑別部１４０は、ＣＰＵ１４１を有しており、鑑別アルゴリズムが記述されたプログラムがＣＰＵ１４１によって実行されることによって鑑別機能が実現される。例えば、紙幣鑑別部１４０は、厚みセンサ１４２−３それぞれによって得られたセンサデータに基づいて、紙幣が何枚重なっているかを認識する。また、紙幣鑑別部１４０は、光学センサ１４２−１および磁気センサ１４２−２それぞれによって得られたセンサデータに基づいて、紙幣の金種、真偽、正損（損傷しているか否か）等を認識する。
【００３３】
ここで、本明細書において真券とは紙幣と鑑別された券をいい、偽券とは紙幣と鑑別されなかった券をいう。また、正券とは真券と鑑別された紙幣のうち入金／出金に適すると鑑別された券をいい、損券とは真券と鑑別された紙幣のうち入金／出金に適さないと鑑別された券をいう。また、リジェクト判定は、偽券、損券（汚損、損壊、外形異常等）、走行異常（スキュー紙幣、重走等）といった要因に基づいて行われる。また、リジェクト紙幣には、自動取引装置１０Ａでは取り扱えない種類の紙幣を含んでもよいし、外国紙幣を含んでもよい。
【００３４】
搬送制御部１５１は、紙幣搬送部１５６による紙幣の搬送を制御する。例えば、搬送制御部１５１は、紙幣搬送部１５６の駆動機構を制御することによって、紙幣の搬送を制御する。表示部１５２は、取引に際して操作画面を表示するＬＣＤ（Ｌｉｑｕｉｄ  Ｃｒｙｓｔａｌ  Ｄｉｓｐｌａｙ）と、取引の種類の選択、暗証番号や取引金額等を入力するタッチセンサとが一体化されたタッチパネルとなっている。
【００３５】
カードリーダ１５３は、取引処理の開始時に顧客によって挿入された磁気カードから顧客情報（例えば、顧客の口座番号など）を読み取る。伝票印刷部１５４は、取引処理の終了時に取引内容等を印字したレシートを発行する。記憶部１５５は、ＲＡＭ（Ｒａｎｄｏｍ  Ａｃｃｅｓｓ  Ｍｅｍｏｒｙ）、ハードディスクドライブやフラッシュメモリ等から構成されており、主制御部１１０による制御に従って種々の情報を記憶する。
【００３６】
紙幣搬送部１５６は、搬送路、紙幣を搬送する搬送ローラ、および、搬送ローラを駆動する駆動機構を含み、紙幣を一枚ずつ搬送する。駆動機構は、例えば、ＤＣサーボモータまたはパルスモータなどが回転することにより、搬送ローラを駆動する。
【００３７】
カセット１６１は、紙幣を金種毎に収納可能な紙幣収納部であって、紙幣の集積および分離の両方の機能を有する。カセット１６１は、同一金種のための複数の紙幣カセットを含んでもよい。また、カセット１６１は、自動取引装置１０Ａに対して着脱可能な構造になっており、個別に交換することによってカセット１６１に紙幣を装填することも可能である。
【００３８】
リジェクト庫１６２は、紙幣を集積する集積機能のみを有する。紙幣鑑別部１４０によって異常と鑑別（リジェクト判定）された紙幣（リジェクト紙幣）を集積する。リジェクト庫１６２も、自動取引装置１０Ａに対して着脱可能な構造になっており、交換することで、紙幣の回収が可能である。
【００３９】
ここで、第１の実施形態においては、紙幣鑑別部１４０が紙幣に関するデータを取得し、主制御部１１０が、あらかじめ設定された条件に応じた紙幣に関するデータを記憶部１５５に記憶させる。かかる構成によれば、各種のばらつきが反映された媒体に関するデータを蓄積することが可能となる。かかる技術により、例えば、紙幣に関するデータに基づいて紙幣鑑別部１４０の鑑別アルゴリズムがバージョンアップされれば、紙幣鑑別部１４０によって所望の鑑別性能が発揮されるようになる。
【００４０】
紙幣に関するデータは、紙幣鑑別部１４０によって紙幣から検出されたセンサデータ（例えば、紙幣の読み取り画像など）を含んでもよいし、紙幣鑑別部１４０によって紙幣から検出されたセンサデータから紙幣鑑別部１４０によって認識された認識結果（例えば、記番号、金種、真偽、正損など）を含んでもよい。以下では、紙幣に関するデータが、センサデータと認識結果との双方を含む場合を主に説明する。
【００４１】
また、条件に応じた紙幣に関するデータは、紙幣鑑別部１４０によって特定されてもよいし、主制御部１１０によって特定されてもよい。例えば、条件に応じた紙幣に関するデータが紙幣鑑別部１４０によって特定される場合、紙幣鑑別部１４０は、条件に応じた媒体に関するデータを主制御部１１０に送信し、主制御部１１０は、紙幣に関するデータを受信して紙幣に関するデータを記憶部１５５に記憶させる。
【００４２】
一方、条件に応じた紙幣に関するデータが主制御部１１０によって特定される場合、紙幣鑑別部１４０は、媒体に関するデータを主制御部１１０に送信し、主制御部１１０は、紙幣に関するデータを受信し、条件に応じた紙幣に関するデータを記憶部１５５に記憶させる。以下では、条件に応じた紙幣に関するデータが、紙幣鑑別部１４０によって特定される例を主に説明する。
【００４３】
また、主制御部１１０は、あらかじめ条件を設定し、条件に応じた紙幣に関するデータを記憶部１５５に記憶させる。例えば、条件の設定は、あらかじめユーザの操作に基づいて設定されてよい。より具体的には、主制御部１１０は、条件設定手段として、条件を設定するための設定画面を表示部１５２に表示させ、該設定画面からユーザの操作に基づいて条件を設定可能であってよい。本実施の形態では、記憶部１５５に記憶する紙幣に関するデータを決定するための条件は、記憶部１５５によって保持されるが、記憶部１５５に限らず、主制御部１１０がアクセス可能な記憶装置に条件が記憶されていればよい。また、主制御部１１０によって設定される条件の種類としては、様々な条件が想定される。
【００４４】
例えば、主制御部１１０によって設定される条件は、紙幣の真偽に関する条件であってもよい。このとき、主制御部１１０は、紙幣鑑別部１４０によって紙幣から検出されたセンサデータから認識された真偽が条件を満たす場合に、センサデータおよびセンサデータから認識された認識結果のうち、少なくともいずれか一方を記憶部１５５に記憶させてよい。かかる構成によれば、紙幣の真偽に関する条件によって、蓄積される紙幣に関するデータを特定することが可能となる。
【００４５】
また、主制御部１１０によって設定される条件は、紙幣の正損に関する条件であってもよい。このとき、主制御部１１０は、紙幣鑑別部１４０によって媒体から読み取られた読み取り画像から鑑別された正損が前記条件を満たす場合に、センサデータおよびセンサデータから認識された認識結果のうち、少なくともいずれか一方を記憶部１５５に記憶させてよい。かかる構成によれば、紙幣の正損に関する条件によって、蓄積される紙幣に関するデータを特定することが可能となる。
【００４６】
また、主制御部１１０によって設定される条件は、金種に関する条件であってもよい。主制御部１１０は、紙幣鑑別部１４０によって紙幣から検出されたセンサデータから認識された金種が条件を満たす場合に、センサデータおよびセンサデータから認識された認識結果のうち、少なくともいずれか一方を記憶部１５５に記憶させてよい。かかる構成によれば、紙幣の金種に関する条件によって、蓄積される紙幣に関するデータを特定することが可能となる。
【００４７】
また、主制御部１１０によって設定される条件は、センサの種類（例えば、光学センサ１４２−１、磁気センサ１４２−２、厚みセンサ１４２−３など）に関する条件であってもよい。主制御部１１０は、条件を満たす種類のセンサによって検出されたセンサデータおよびセンサデータから認識された認識結果のうち、少なくともいずれか一方を記憶部１５５に記憶させてよい。かかる構成によれば、センサの種類に関する条件によって、蓄積される紙幣に関するデータを特定することが可能となる。
【００４８】
また、主制御部１１０によって設定される条件は、紙幣の特徴点（例えば、磁気スレッド、記番号、透かし、ＯＶＩ（Ｏｐｔｉｃａｌｌｙ  Ｖａｒｉａｂｌｅ  Ｉｎｋｓ）など）に関する条件であってもよい。主制御部１１０は、紙幣鑑別部１４０によって紙幣から検出されたセンサデータのうち、条件に応じた特徴点を記憶部１５５に記憶させてもよい。かかる構成によれば、紙幣の特徴点に関する条件によって、蓄積される紙幣に関するデータを特定することが可能となる。
【００４９】
また、主制御部１１０は、記憶部１５５に記憶された紙幣に関するデータを表示部１５２に表示させ、紙幣に関するデータをユーザに閲覧させながら、排除対象の紙幣（リジェクト紙幣であると鑑別されてリジェクト庫１６２に搬送される紙幣）または受入対象の紙幣（正常紙幣であると判別されてカセット１６１に搬送される紙幣）を記番号によって指定できるようにすることも可能である。
【００５０】
すなわち、主制御部１１０は、記憶部１５５によって記憶されている紙幣に関するデータが媒体の記番号を含む場合、排除対象または受入対象の媒体を記番号により選択可能とし、選択された記番号によって排除対象または受入対象の媒体の判定条件を変更してもよい。これにより、ユーザが所望する鑑別性能がさらに発揮されるようになる。
【００５１】
あるいは、主制御部１１０は、記憶部１５５に記憶された紙幣に関するデータを表示部１５２に表示させ、紙幣に関するデータをユーザに閲覧させながら、排除対象または受入対象の紙幣を判別レベル（例えば、正損レベル、真偽レベルなど）によって指定できるようにすることも可能である。すなわち、主制御部１１０は、紙幣鑑別部１４０によって判別される紙幣の正損または真偽によって排除対象または受入対象の媒体を選択可能とし、選択された正損または真偽によって排除対象または受入対象の媒体の判定条件を変更してもよい。これにより、ユーザが所望する鑑別性能がさらに発揮されるようになる。
【００５２】
［１−２．自動取引装置の動作］
続いて、第１の実施形態に係る自動取引装置１０Ａの動作について説明する。ユーザは、表示部１５２によって表示される保守メニュー画面を利用しながら、自動取引装置１０Ａの保守を行うことが可能である。図２は、保守メニュー画面の例を示す図である。保守のための設定には、後に説明するように、紙幣鑑別部１４０から収集するデータの設定（データ収集設定）と紙幣鑑別部１４０による鑑別の設定（鑑別設定）とが存在する。図３〜図７はそれぞれ、データ収集設定において使用される画面である。
【００５３】
図３は、データ収集設定画面の例を示す図である。図４は、金種設定画面の例を示す図である。図５は、センサ種類設定画面の例を示す図である。図６は、画像領域設定画面の例を示す図である。図７は、紙幣の特徴点設定画面の例を示す図である。図８は、第１の実施形態に係る自動取引装置１０Ａの全体的な動作の流れ（前半）を示すフローチャートである。まず、図８に示すように、主制御部１１０は、保守メニュー画面Ｇ１０を表示部１５２に表示させる（ステップＳ１００）。
【００５４】
図２に示すように、保守メニュー画面Ｇ１０は、「データ収集設定ボタンＧ１１」、「鑑別設定ボタンＧ１２」および「終了ボタンＧ１３」を含んでいる。データ収集設定ボタンＧ１１が選択された場合（ステップＳ１１０において「データ収集設定」）、データ収集設定が実行され（ステップＳ１２０）、ステップＳ１１０に動作が移行される。一方、鑑別設定ボタンＧ１２が選択された場合（ステップＳ１１０において「鑑別設定」）、鑑別設定が実行され（ステップＳ１３０）、ステップＳ１１０に動作が移行される。
【００５５】
また、終了ボタンＧ１３が選択された場合（ステップＳ１１０において「終了」）、図２の保守メニュー画面を終了し、自動取引装置１０Ａは通常の運用へ戻る動作を行う。そして、紙幣鑑別部１４０は、自動取引装置１０Ａを利用する利用者との間での取引に関し、ステップＳ１３０における鑑別設定に従って紙幣を鑑別し、ステップＳ１２０におけるデータ収集設定において設定された条件に従ってデータを収集し、収集したデータを主制御部１１０に送信する。以下、データ収集設定（ステップＳ１２０）について詳細に説明する。
【００５６】
図９は、データ収集設定の動作の流れ（前半）を示すフローチャートである。図９に示すように、主制御部１１０は、保守メニュー画面Ｇ１０からデータ収集設定画面Ｇ２０（図３）に画面遷移を行う（ステップＳ２０１）。データ収集設定画面Ｇ２０には、「全て取得ボタンＧ２１」、「真券のみ取得ボタンＧ２２」、「偽券のみ取得ボタンＧ２３」、「取得しないボタンＧ２４」および「前に戻るボタンＧ２５」が含まれている。
【００５７】
ここで、ユーザによって「前に戻るボタンＧ２５」が選択された場合には（ステップＳ２０２において「前に戻る」）、保守メニュー画面Ｇ１０（図２）に画面遷移し（ステップＳ２１３）、ステップＳ１１０（図８）に動作を移行させる。また、ユーザによって「取得しないボタンＧ２４」が選択された場合には（ステップＳ２０２において「取得しない」）、「取得しない」を対象券種に設定し（ステップＳ２０６）、データ収集設定において設定された条件で記憶部１５５によって記憶されている条件を更新し、データ収集設定を終了する（図１０）。ここで、対象券種は、紙幣鑑別部１４０から主制御部１１０に送信される紙幣に関するデータの条件として、紙幣の真偽に関する条件を示している。
【００５８】
また、主制御部１１０は、ユーザによって「全て取得ボタンＧ２１」が選択された場合には（ステップＳ２０２において「全て取得」）、「全て取得」を対象券種に設定して（ステップＳ２０３）、ステップＳ２０７に動作を移行させる。
【００５９】
主制御部１１０は、ユーザによって「偽券のみ取得ボタンＧ２３」が選択された場合には（ステップＳ２０２において「偽券のみ取得」）、「偽券のみ取得」を対象券種に設定して（ステップＳ２０４）、ステップＳ２０７に動作を移行させる。主制御部１１０は、ユーザによって「真券のみ取得ボタンＧ２２」が選択された場合には（ステップＳ２０２において「偽券のみ取得」）、「偽券のみ取得」を対象券種に設定して（ステップＳ２０５）、ステップＳ２０７に動作を移行させる。
【００６０】
続いて、主制御部１１０は、金種設定画面Ｇ３０（図４）に画面遷移を行う（ステップＳ２０７）。図４に示すように、金種設定画面Ｇ３０は、「全て取得ボタンＧ３１」、「１万円ボタンＧ３２」、「５千円ボタンＧ３３」、「２千円ボタンＧ３４」、「１千円ボタンＧ３５」、「次に進むボタンＧ３６」および「前に戻るボタンＧ３７」を含んでいる。ユーザは、「前に戻るボタンＧ３７」、または、金種を選択した上で「次に進むボタンＧ３６」を選択する。
【００６１】
主制御部１１０は、「前に戻るボタンＧ３７」が選択された場合には（ステップＳ２０８において「前に戻る」）、ステップＳ２０１に動作を移行させる。一方、主制御部１１０は、「次に進むボタンＧ３６」が選択された場合には（ステップＳ２０８において「次に進む」）、選択されている金種を対象金種に設定して（ステップＳ２０９）、ステップＳ２１０に動作を移行させる。対象金種は、紙幣鑑別部１４０から主制御部１１０に送信される紙幣に関するデータの条件として、紙幣の金種に関する条件を示している。
【００６２】
続いて、主制御部１１０は、センサ種類設定画面Ｇ４０（図５）に画面遷移を行う（ステップＳ２０９）。図５に示すように、センサ種類設定画面Ｇ４０は、「光学センサボタンＧ４１」、「磁気センサボタンＧ４２」、「厚みセンサボタンＧ４３」、「次に進むボタンＧ４４」および「前に戻るボタンＧ４５」を含んでいる。ユーザは、「前に戻るボタンＧ４５」、または、金種を選択した上で「次に進むボタンＧ４４」を選択する。
【００６３】
主制御部１１０は、「前に戻るボタンＧ４５」が選択された場合には（ステップＳ２１１において「前に戻る」）、ステップＳ２０７に動作を移行させる。一方、主制御部１１０は、「次に進むボタンＧ４４」が選択された場合には（ステップＳ２１１において「次に進む」）、選択されているセンサを対象センサに設定して（ステップＳ２１２）、ステップＳ３０１（図１０）に動作を移行させる。対象センサは、紙幣鑑別部１４０から主制御部１１０に送信される紙幣に関するデータの条件として、紙幣を検出するセンサに関する条件を示している。
【００６４】
図１０は、データ収集設定の動作の流れ（後半）を示すフローチャートである。図１０に示すように、主制御部１１０は、画像領域設定画面Ｇ５０（図６）に画面遷移を行う（ステップＳ３０１）。画像領域設定画面Ｇ５０には、「画像全体ボタンＧ５１」、「画像の一部ボタンＧ５２」および「前に戻るボタンＧ５３」が含まれている。
【００６５】
ここで、ユーザによって「前に戻るボタンＧ５３」が選択された場合には（ステップＳ３０２において「前に戻る」）、ステップＳ２１０に動作を移行させる。主制御部１１０は、ユーザによって「画像全体ボタンＧ５１」が選択された場合には（ステップＳ３０２において「画像全体」）、画像全体を対象画像に設定して（ステップＳ３０３）、データ収集設定において設定された条件で記憶部１５５によって記憶されている条件を更新し、データ収集設定を終了する。対象画像は、紙幣鑑別部１４０から主制御部１１０に送信される紙幣に関するデータの条件として、紙幣から読み取られた画像に関する条件を示している。
【００６６】
一方、ユーザによって「画像の一部ボタンＧ５２」が選択された場合には（ステップＳ３０２において「画像の一部」）、主制御部１１０は、特徴点設定画面Ｇ６０（図７）に画面遷移を行う（ステップＳ３０４）。特徴点設定画面Ｇ６０には、「磁気スレッドボタンＧ６１」、「記番号ボタンＧ６２」、「透かしボタンＧ６３」「ＯＶＩボタンＧ６４」および「前に戻るボタンＧ６５」が含まれている。
【００６７】
ここで、ユーザによって「前に戻るボタンＧ６５」が選択された場合には（ステップＳ３０５において「前に戻る」）、ステップＳ３０１に動作を移行させる。主制御部１１０は、ユーザによって「磁気スレッドボタンＧ６１」が選択された場合には（ステップＳ３０５において「磁気スレッド」）、磁気スレッドを対象特徴点に設定して（ステップＳ３０６）、データ収集設定において設定された条件で記憶部１５５によって記憶されている条件を更新し、データ収集設定を終了する。対象特徴点は、紙幣鑑別部１４０から主制御部１１０に送信される紙幣に関するデータの条件として、紙幣から読み取られた画像の領域に関する条件を示している。
【００６８】
主制御部１１０は、ユーザによって「記番号ボタンＧ６２」が選択された場合には（ステップＳ３０５において「記番号」）、記番号を対象特徴点に設定して（ステップＳ３０７）、データ収集設定において設定された条件で記憶部１５５によって記憶されている条件を更新し、データ収集設定を終了する。主制御部１１０は、ユーザによって「透かしボタンＧ６３」が選択された場合には（ステップＳ３０５において「透かし」）、透かしを対象特徴点に設定して（ステップＳ３０８）、データ収集設定において設定された条件で記憶部１５５によって記憶されている条件を更新し、データ収集設定を終了する。主制御部１１０は、ユーザによって「ＯＶＩボタンＧ６４」が選択された場合には（ステップＳ３０５において「ＯＶＩ」）、ＯＶＩを対象特徴点に設定して（ステップＳ３０９）、データ収集設定において設定された条件で記憶部１５５によって記憶されている条件を更新し、データ収集設定を終了する。
【００６９】
図１１は、第１の実施形態に係る自動取引装置１０Ａの全体的な動作の流れ（後半）を示すフローチャートである。図１１に示すように、主制御部１１０は、取引選択画面を表示部１５２に表示させる（ステップＳ４０１）。取引選択画面において顧客によって取引が選択されない場合には（ステップＳ４０２において「Ｎｏ」）、ステップＳ４０２に動作を移行させる。一方、主制御部１１０は、取引選択画面において顧客によって取引が選択された場合には（ステップＳ４０２において「Ｙｅｓ」）、選択された取引を実行し（ステップＳ４０３）、ステップＳ４０４に動作を移行させる。
【００７０】
続いて、主制御部１１０は、取引を継続する場合には（ステップＳ４０４において「Ｎｏ」）、ステップＳ４０２に動作を移行する。一方、主制御部１１０は、取引を終了する場合には（ステップＳ４０４において「Ｙｅｓ」）、取引を終了する。
【００７１】
続いて、主制御部１１０は、紙幣鑑別部１４０からデータ（紙幣に関するデータ）が送信されていない場合（ステップＳ４０５において「Ｎｏ」）、ステップＳ４０１に動作を移行させる。一方、主制御部１１０は、紙幣鑑別部１４０からデータ（紙幣に関するデータ）が送信された場合（ステップＳ４０５において「Ｙｅｓ」）、データ（紙幣に関するデータ）を受信し（ステップＳ４０６）、受信したデータを記憶部１５５に記憶させる（ステップＳ４０７）。
【００７２】
続いて、鑑別設定（ステップＳ１３０）について詳細に説明する。図１２〜図１５はそれぞれ、鑑別設定において使用される画面である。図１２は、鑑別設定画面の例を示す図である。図１３は、取得データから設定画面の例を示す図である。図１４は、データ一覧画面の例を示す図である。図１５は、レベル設定画面の例を示す図である。図１６は、鑑別設定の動作の流れ（前半）を示すフローチャートである。
【００７３】
図１６に示すように、主制御部１１０は、保守メニュー画面Ｇ１０から鑑別設定画面Ｇ７０に画面遷移を行う（ステップＳ５０１）。鑑別設定画面Ｇ７０には、「レベル設定ボタンＧ７１」、「取得データから設定ボタンＧ７２」、「記番号設定ボタンＧ７３」および「前に戻るボタンＧ７４」が含まれている。
【００７４】
ここで、主制御部１１０は、ユーザによって「前に戻るボタンＧ７４」が選択された場合には（ステップＳ５０２において「前に戻る」）、保守メニュー画面Ｇ１０（図２）に画面遷移し（ステップＳ５１２）、ステップＳ１１０（図８）に動作を移行させる。また、主制御部１１０は、ユーザによって「レベル設定ボタンＧ７１」が選択された場合には（ステップＳ５０２において「レベル設定」）、ユーザの操作に基づいて鑑別レベル（例えば、正損レベル、真偽レベルなど）を設定して（ステップＳ５０３）、鑑別設定を終了する。
【００７５】
また、主制御部１１０は、ユーザによって「記番号設定ボタンＧ７３」が選択された場合には（ステップＳ５０２において「記番号設定」）、ユーザの操作に基づいて排除対象紙幣（または受入対象紙幣）の記番号を設定して（ステップＳ５０４）、鑑別設定を終了する。主制御部１１０は、ユーザによって「取得データから設定ボタンＧ７２」が選択された場合には（ステップＳ５０２において「取得データから設定」）、鑑別設定画面Ｇ７０から「取得データから設定画面Ｇ８０」（図１３）に画面遷移を行う（ステップＳ５０５）。
【００７６】
図１３に示すように、取得データから設定画面Ｇ８０には、紙幣鑑別部１４０によって紙幣から読み取られて主制御部１１０に送信された画像Ｇ８１が含まれている。画像Ｇ８１は、画像領域設定画面Ｇ５０（図６）において、画像全体が設定された場合には、画像全体であってよく、画像の一部が設定された場合には、画像の一部であってよい。また、取得データから設定画面Ｇ８０には、「前のデータボタンＧ８２」、「次のデータボタンＧ８３」、「データ一覧ボタンＧ８４」、「裏面切り替えボタンＧ８５」、「レベル設定ボタンＧ８６」、「記番号設定ボタンＧ８７」および「前に戻るボタンＧ８８」が含まれている。
【００７７】
ここで、主制御部１１０は、ユーザによって「前に戻るボタンＧ８８」が選択された場合には（ステップＳ５０６において「前に戻る」）、ステップＳ５０１に動作を移行させる。主制御部１１０は、ユーザによって「前のデータボタンＧ８２」が選択された場合には（ステップＳ５０６において「前のデータ」）、前のデータを表示させ（ステップＳ５０７）、ステップＳ５０６に動作を移行させる。
【００７８】
一方、主制御部１１０は、ユーザによって「次のデータボタンＧ８３」が選択された場合には（ステップＳ５０６において「次のデータ」）、次のデータを表示させ（ステップＳ５０８）、ステップＳ５０６に動作を移行させる。
【００７９】
主制御部１１０は、ユーザによって「裏面切り替えボタンＧ８５」が選択された場合には（ステップＳ５０６において「裏面切り替え」）、画像Ｇ８１の裏面データを表示させ（ステップＳ５０９）、ステップＳ５０６に動作を移行させる。
【００８０】
また、ユーザは、画像Ｇ８１を閲覧しながら、排除したい紙幣を見つけ、その紙幣を記番号の指定で排除したいと考えた場合には、「記番号設定ボタンＧ８７」を選択する。主制御部１１０は、ユーザによって「記番号設定ボタンＧ８７」が選択された場合には（ステップＳ５０６において「記番号設定」）、その紙幣から認識された記番号を排除対象紙幣の記番号として、紙幣鑑別部１４０に登録し（ステップＳ５１１）、鑑別設定を終了する。その後は、紙幣鑑別部１４０は、登録された排除対象紙幣の記番号と同一の記番号の紙幣を検出した場合、その紙幣を排除することが可能となる。
【００８１】
また、ユーザは、画像Ｇ８１を閲覧しながら、排除対象にしたい紙幣を見つけ、その紙幣を判別レベル（正損レベルおよび真偽レベルの少なくともいずれか一方）の変更で排除したいと考えた場合には、「レベル設定ボタンＧ８６」を選択する。主制御部１１０は、ユーザによって「レベル設定ボタンＧ８６」が選択された場合には、レベル設定を行う（ステップＳ５１０）。図１７は、レベル設定の詳細フローを示す図である。図１７に示すように、主制御部１１０は、レベル設定画面Ｇ１００に画面遷移すると（ステップＳ６０６）、ユーザによるアクションを判定し（ステップＳ６０７）、設定を戻すボタンＧ１３１が選択された場合には（ステップＳ６０７において「設定を戻す」）、判別レベルの設定を元に戻し（ステップＳ６０８）、レベル設定を終了する。一方、主制御部１１０は、設定するボタンＧ１３２が選択された場合には（ステップＳ６０７において「設定する」）、選択されている正損および真偽により判別レベルを設定し（ステップＳ６０９）、レベル設定を終了する。レベル設定画面Ｇ１００（図１５）を表示させとき、主制御部１１０は、紙幣鑑別部１４０から受信した紙幣に関する情報と鑑別アルゴリズムとを記憶部１５５から読み出し、鑑別アルゴリズムの中の判別レベルを算出するためのプログラムを実行して、その紙幣を排除するための判別レベルを算出する。
【００８２】
そして、主制御部１１０は、算出した判別レベルをレベル設定画面Ｇ１００に表示させればよい（ステップＳ６０６）。図１５には、算出した判別レベルとして、正損レベル１（排除率Ｘ１％）〜５（排除率Ｘ５％）、真偽レベル１（排除率Ｙ１％）〜５（排除率Ｙ５％）が表示されている。すなわち、レベル設定画面Ｇ１００には、「正損レベル１ボタンＧ１１１」〜「正損レベル５ボタンＧ１１５」が含まれており、「真偽レベル１ボタンＧ１２１」〜「真偽レベル５ボタンＧ１２５」が含まれている。排除率Ｘ１％〜Ｘ５％、Ｙ１％〜Ｙ５％はそれぞれ、図１３に示した画像Ｇ８１の紙幣と正損・真偽の度合いが同程度の紙幣が排除される割合を示している。レベル５の場合に排除率が最も高く、レベルが下がるごとに排除率が低くなる。ユーザは、この排除率をみて適切なレベル設定を行い、排除率を設定する。例えば、図１３に示した画像Ｇ８１の紙幣を排除対象としたい場合には、正損レベルを高く設定し、受入対象としたい場合には、正損レベルを低く設定する。ユーザが判別レベルを選択した上で、「設定するボタンＧ１３２」を選択すると（ステップＳ６０７において「設定する」）、その判別レベルに変更され（ステップＳ５１０）、その後は、紙幣鑑別部１４０は、その判別レベルの紙幣を検出した場合、その紙幣を排除することが可能となる。
【００８３】
なお、ユーザは、画像Ｇ８１を閲覧しながら、受入対象にしたい紙幣を見つけ、その紙幣を判別レベルの変更で受け入れたいと考えた場合にも、「レベル設定ボタンＧ８６」を選択してよい。主制御部１１０は、ユーザによって「レベル設定ボタンＧ８６」が選択された場合には、レベル設定画面Ｇ１００（図１５）を表示させる。レベル設定画面Ｇ１００において判別レベルを変更することによって、その後は、紙幣鑑別部１４０は、その判別レベルの紙幣を検出した場合、その紙幣を受け入れることが可能となる。「設定を戻すボタンＧ１３１」が選択された場合には、判別レベルの設定が元に戻される。
【００８４】
ステップＳ５１０が終わると、鑑別設定を終了する。主制御部１１０は、ユーザによって「データ一覧ボタンＧ８４」が選択された場合には（ステップＳ５０６において「データ一覧」）、ステップＳ６０１（図１８）に動作を移行させる。
【００８５】
図１８は、鑑別設定の動作の流れ（後半）を示すフローチャートである。図１８に示すように、主制御部１１０は、データ一覧画面Ｇ９０に画面遷移を行う（ステップＳ６０１）。続いて、データ一覧画面Ｇ９０には、紙幣鑑別部１４０から主制御部１１０に送信されて記憶部１５５に記憶された紙幣に関するデータ（記番号、金種、判別結果）と送信日付とが表示されている。また、データ一覧画面Ｇ９０には、「前の一覧ボタンＧ９１」、「次の一覧ボタンＧ９２」および「前に戻るボタンＧ９３」が含まれている。
【００８６】
主制御部１１０は、ユーザによって「前に戻るボタンＧ９３」が選択されると、ステップＳ５０５（図１６）に動作を移行させる。また、主制御部１１０は、ユーザによって「前の一覧ボタンＧ９１」が選択されると、前のデータ一覧を表示させ（ステップＳ６０３）、ステップＳ６０２に動作を移行させる。主制御部１１０は、ユーザによって「次の一覧ボタンＧ９２」が選択されると、次のデータ一覧を表示させ（ステップＳ６０４）、ステップＳ６０２に動作を移行させる。主制御部１１０は、ユーザによってデータ一覧画面Ｇ９０の記番号が選択されると、ステップＳ５０５に動作を移行させ、「取得データから設定画面Ｇ８０」（図１３）に画面遷移する。このとき、取得データから設定画面Ｇ８０の画像８１には、ユーザによって選択された記番号が付された紙幣の画像が表示される。
【００８７】
［２．第２の実施形態］
［２−１．システム構成］
続いて、第２の実施形態について説明する。第２の実施形態は、複数の自動取引装置とサーバ装置とがネットワークに接続されたシステムを想定する。自動取引装置の数は複数であれば特に限定されない。図１９は、第２の実施形態に係るシステムの構成例を示す図である。図１９に示すように、自動取引装置１０Ｂ−１と自動取引装置１０Ｂ−２とは、ネットワーク３０に接続されている。また、サーバ装置２０も、ネットワーク３０に接続されている。
【００８８】
［２−２．自動取引装置の内部構成］
図２０は、第２の実施形態に係る自動取引装置１０Ｂの内部構成例を示す図である。図２０に示すように、第２の実施形態に係る自動取引装置１０Ｂは、ネットワーク３０を介してサーバ装置２０と通信を行う通信部１５７を備えている。より具体的には、通信部１５７は、紙幣鑑別部１４０から受信した紙幣に関する情報を、ネットワーク３０を介してサーバ装置２０に送信する。その他の構成については、第１の実施形態に係る自動取引装置１０Ａが備える構成と同様であるため、詳細な説明を省略する。
【００８９】
［２−３．自動取引装置の動作］
図２１は、第２の実施形態に係る自動取引装置１０Ｂの動作の流れを示す図である。図２１に示すように、主制御部１１０は、紙幣鑑別部１４０からデータ（紙幣に関するデータ）を受信し（ステップＳ４０６）、受信したデータを記憶部１５５に記憶させた後（ステップＳ４０７）、受信したデータ（紙幣に関するデータ）をサーバ装置２０に送信する（ステップＳ４０８）。その他の動作については、図１１に示した自動取引装置１０Ａの全体的な動作と同様である。
【００９０】
［２−４．サーバ装置の内部構成］
図２２は、サーバ装置２０の内部構成例を示す図である。図２２に示すように、サーバ装置２０は、記憶部２１０、処理部２２０および通信部２３０を備える。記憶部２１０は、コンピュータをサーバ装置２０として機能させるためのプログラムを記憶している。また、記憶部２１０は、処理部２２０の演算処理において一時的にデータを記憶する機能を有する。
【００９１】
処理部２２０は、ＣＰＵ（Ｃｅｎｔｒａｌ  Ｐｒｏｃｅｓｓｉｎｇ  Ｕｎｉｔ）により構成され、記憶部２１０によって記憶されているプログラムを実行することによって、その機能が実現される。通信部２３０は、ネットワーク３０を介してサーバ装置２０と通信を行うための通信インタフェースである。
【００９２】
具体的に、処理部２２０は、通信部２３０によって、自動取引装置１０Ｂ−１および自動取引装置１０Ｂ−２それぞれから媒体に関する情報が受信されると、これらの媒体に関する情報を解析する。例えば、処理部２２０は、自動取引装置１０Ｂ−１および自動取引装置１０Ｂ−２それぞれから受信された媒体に関する情報に基づいて、リジェクト庫への紙幣の搬送率（排除率）が低い自動取引装置１０Ｂを特定することができた場合、その自動取引装置１０Ｂのセンサが正常に動作していない可能性があると推定することができる。
【００９３】
［２−４．サーバ装置の動作］
図２３は、第２の実施形態に係るサーバ装置２０の動作の流れを示す図である。図２３に示すように、通信部２３０は、自動取引装置１０Ｂからデータ（紙幣に関するデータ）が送信されていない場合（ステップＳ７０１において「Ｎｏ」）、ステップＳ７０５に動作を移行させる。一方、通信部２３０は、自動取引装置１０Ｂからデータ（紙幣に関するデータ）が送信された場合（ステップＳ７０１において「Ｙｅｓ」）、データ（紙幣に関するデータ）を受信し（ステップＳ７０２）、処理部２２０は、受信したデータ（紙幣に関するデータ）を解析する（ステップＳ７０３）。
【００９４】
続いて、通信部２３０は、解析結果を出力する（ステップＳ７０４）。解析結果の出力先は特に限定されないが、自動取引装置１０Ｂであってもよい。処理部２２０は、動作を継続する場合には（ステップＳ７０５において「Ｎｏ」）、ステップＳ７０１に動作を移行する。一方、処理部２２０は、動作を終了する場合には（ステップＳ７０５において「Ｙｅｓ」）、動作を終了する。
【００９５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９６】
例えば、上記では、自動取引装置１０によって扱われる媒体の例として紙幣を取り上げた。しかし、自動取引装置１０によって扱われる媒体は、紙幣に限定されない。例えば、自動取引装置１０によって扱われる媒体は、硬貨であってもよいし、他の媒体であってもよい。また、上記では、紙幣の通貨として日本の通貨（円）を利用して説明したが、紙幣の通貨は、日本の通貨に限定されない。例えば、紙幣の通貨は、米国の通貨（米ドル）であってもよい。
【符号の説明】
【００９７】
１０（１０Ａ、１０Ｂ）  自動取引装置
１１０  主制御部
１２０  紙幣投入部
１２５  紙幣受取部
１３０  一時保留部
１３５  高速伝送路
１４０  紙幣鑑別部
１４２−１  光学センサ
１４２−２  磁気センサ
１４２−３  厚みセンサ
１５１  搬送制御部
１５２  表示部
１５３  カードリーダ
１５４  伝票印刷部
１５５  記憶部
１５６  紙幣搬送部
１５７  通信部
１６１  カセット
１６２  リジェクト庫
２０    サーバ装置
２１０  記憶部
２２０  処理部
２３０  通信部
３０    ネットワーク
【図１】
2017045310.tif 000003
【図２】
2017045310.tif 000004
【図３】
2017045310.tif 000005
【図４】
2017045310.tif 000006
【図５】
2017045310.tif 000007
【図６】
2017045310.tif 000008
【図７】
2017045310.tif 000009
【図８】
2017045310.tif 000010
【図９】
2017045310.tif 000011
【図１０】
2017045310.tif 000012
【図１１】
2017045310.tif 000013
【図１２】
2017045310.tif 000014
【図１３】
2017045310.tif 000015
【図１４】
2017045310.tif 000016
【図１５】
2017045310.tif 000017
【図１６】
2017045310.tif 000018
【図１７】
2017045310.tif 000019
【図１８】
2017045310.tif 000020
【図１９】
2017045310.tif 000021
【図２０】
2017045310.tif 000022
【図２１】
2017045310.tif 000023
【図２２】
2017045310.tif 000024
【図２３】
2017045310.tif 000025